(57)【特許請求の範囲】
【請求項１】
ユーザの音声を文字情報に変換する音声認識部と、
前記文字情報を浮遊体の表面に印刷、または、印刷媒体に印刷して前記浮遊体に貼付する印刷部と、
前記浮遊体に気体を封入し空中に浮かばせる気体封入部と、
を備えることを特徴とする音声可視化装置。
【請求項２】
前記浮遊体は、生分解性の材料を用いることを特徴とする請求項１に記載の音声可視化装置。 
【発明の詳細な説明】
【技術分野】
【０００１】
本発明は、音声可視化装置および音声可視化方法に関する。
【背景技術】
【０００２】
従来、イベント会場において様々な形の泡を宙に飛ばす装置がある（非特許文献１参照）。
【先行技術文献】
【非特許文献】
【０００３】
【非特許文献１】ＦＬＯＧＯ（フロゴ）、[online]、[平成26年11月13日検索]、インターネット<URL：http://www.fantasia-kobe.jp/flogos.html>
【発明の概要】
【発明が解決しようとする課題】
【０００４】
しかし、非特許文献１に記載の装置は、装置のサイズが大きく、個人で所有・操作することができず、また、文字を形成するためには大きな泡が必要である。そのため、スポーツ等のイベント会場で個人の音声を可視化するのが困難であった。そこで本発明は、前記した課題を解決し、スポーツ等のイベント会場において、個人の音声を容易に可視化する手段を提供することを課題とする。
【課題を解決するための手段】
【０００５】
前記した課題を解決するため、本発明は、ユーザの音声を文字情報に変換する音声認識部と、前記文字情報を浮遊体の表面に印刷、または、印刷媒体に印刷して前記浮遊体に貼付する印刷部と、前記浮遊体に気体を封入し空中に浮かばせる気体封入部とを備えることを特徴とする。
【発明の効果】
【０００６】
本発明によれば、スポーツ等のイベント会場において、個人の音声を容易に可視化することができる。
【図面の簡単な説明】
【０００７】
【図１】図１は、音声可視化システムの概要を説明する図である。
【図２】図２は、音声可視化システムの構成を示す図である。
【図３】図３は、音声可視化システムの処理手順を示す図である。
【図４】図４は、音声可視化システムの処理手順例を示すシーケンス図である。
【図５】図５は、音声可視化システムの処理手順例を示すシーケンス図である。
【図６】図６は、音声可視化プログラムを実行するコンピュータを示す図である。
【発明を実施するための形態】
【０００８】
以下、図面を参照しながら、本発明を実施するための形態（実施形態）について説明する。なお、本発明は本実施形態に限定されない。まず、図１を用いて本実施形態の音声可視化システム（音声可視化装置）の概要を説明する。
【０００９】
音声可視化システムは、図１に示すように、ユーザの音声（例えば、「がんば」等の発語の音声）を操作端末２０等により受け付けると、音声を文字情報に変換し、変換した文字情報を紙等に印刷する。そして、文字情報を印刷した印刷物４０を風船等の浮遊体３０に貼りつける（図１：無声時→発声時）。その後、音声可視化システムは、浮遊体３０をヘリウム等で膨らませ、空中に浮かせる（図１：表示時）。
【００１０】
これにより、スポーツ等のイベント会場において、大規模な装置（非特許文献１参照）を用いなくてもユーザの音声を可視化することができる。また、ユーザの音声を文字に変換して紙等に印刷するので、複雑な文字や多様な文字態様にも対応することができる。
【００１１】
（構成）
次に、図２を用いて、音声可視化システムの構成を説明する。音声可視化システムは、図２に示すように、浮遊体作成装置１０と、操作端末２０と、浮遊体３０とを備える。
【００１２】
浮遊体作成装置１０は、ユーザの音声を文字情報に変換し、印刷した印刷物４０を浮遊体３０に貼りつけ、浮遊体３０にヘリウム等の気体を封入して浮かせる。この浮遊体作成装置１０は、気体封入部１１と、印刷部１２と、制御部１３と、通信部１４とを備える。
【００１３】
気体封入部１１は、制御部１３の制御に基づき浮遊体３０にヘリウム等の気体を封入する。なお、浮遊体３０は、例えば、食物由来の生分解性の高い材料を用い、浮遊体３０への気体封入後、空中に飛ばされたときの、環境負荷を低減するようにしてもよい。
【００１４】
印刷部１２は、制御部１３の制御に基づき浮遊体３０に貼り付ける紙等の印刷媒体に文字等を印刷する。ここでは文字等が印刷された紙等を印刷物４０とする。この印刷物４０の裏面には、例えば、粘着体が塗られており、文字等の印刷がされると、気体封入前の浮遊体３０の表面に印刷物４０が貼り付けられる。なお、印刷部１２は浮遊体３０の表面に直接文字情報を印刷してもよい。
【００１５】
制御部１３は、浮遊体作成装置１０全体の制御を司る。例えば、制御部１３は、通信部１４経由でユーザの文字情報（ユーザの音声を文字情報に変換したもの）を受信すると、印刷部１２に対し、この文字情報の印刷指示を行う。また、制御部１３は、印刷部１２による印刷終了を確認後、気体封入部１１に対し、浮遊体３０への気体の封入を行うよう指示する。
【００１６】
通信部１４は、操作端末２０との間で各種情報の送受信を行い、例えば、操作端末２０から文字情報を受信すると、この文字情報を制御部１３へ出力する。
【００１７】
操作端末２０は、ユーザの音声を受け付けると、受け付けた音声の音声認識を行い、音声認識の結果を文字情報に変換し、浮遊体作成装置１０へ送信する。操作端末２０は、操作部２２と、音声入力部２３と、サービス処理部２４とを備え、例えば、携帯電話機やスマートフォン等により実現される。
【００１８】
操作部２２は、操作端末２０に対する各種操作を受け付ける。この操作部２２は、例えば、キーボードやタッチパネルである。音声入力部２３は、ユーザの音声の入力を受け付ける。この音声入力部２３は、例えば、マイク等である。
【００１９】
サービス処理部２４は、音声認識部２４１と送信部２４２とを備え、音声認識部２４１はユーザの音声の音声認識を行い、音声認識の結果を文字情報に変換する。また、送信部２４２は、音声認識部２４１により変換された文字情報を浮遊体作成装置１０へ送信する。
【００２０】
（処理手順）
次に、図３を用いて、音声可視化システムの処理手順を説明する。まず、操作端末２０の音声入力部２３はユーザの発声を受け付けると、音声認識部２４１は発声された音声の音声認識を行い、音声認識の結果を文字情報に変換する。そして、送信部２４２は文字情報（認識文字）を浮遊体作成装置１０へ送信する。浮遊体作成装置１０は、通信部１４経由で認識文字を受信すると、印刷部１２は受信した認識文字を紙等に印刷し、浮遊体３０と印刷物４０（認識文字を紙等に印刷したもの）とを合体させる（図３：発声時）。
【００２１】
次に、浮遊体作成装置１０の気体封入部１１は浮遊体３０にヘリウム等の気体を封入する（図３：表示準備時）。そして、浮遊体作成装置１０は気体を封入した浮遊体３０を空中に浮かばせる（図３：表示時）。これにより、ユーザの発声が表示（可視化）される。
【００２２】
（処理手順例）
次に、図４および図５を用いて、音声可視化システムの処理手順例を説明する。例えば、操作端末２０の操作部２２がユーザからサービスアプリ起動指示を受け付けると、サービス処理部２４は音声可視化のためのサービスアプリを起動させる（Ｓ１）。そして、操作端末２０の音声入力部２３が、ユーザの音声入力「がんば」の入力を受け付けると（Ｓ２）、音声認識部２４１は音声認識を行い、送信部２４２は音声認識の結果の文字送信を行う（Ｓ３）。
【００２３】
浮遊体作成装置１０の制御部１３は、通信部１４経由で操作端末２０から文字情報（例えば、「がんば」）を受信すると（Ｓ４）、サービス制御を開始し（Ｓ５）、印刷部１２に対し「がんば」の文字印刷指示を行い（Ｓ６）、気体封入部１１に浮遊体作成指示を行う（Ｓ７）。このような指示を受けた印刷部１２は「がんば」という文字を印刷し（Ｓ８）、気体封入部１１は浮遊体３０の設置を行い（Ｓ９）、印刷部１２は印刷物４０を出力し、浮遊体３０と合体させる（Ｓ１０）。印刷部１２は印刷を終了すると、制御部１３に対し印刷終了通知を行う（Ｓ１１）。Ｓ１１の後、制御部１３は、気体封入部１１に対し、浮遊体３０への気体封入指示を行い（図５のＳ２１）、これを受けた気体封入部１１はヘリウム等を浮遊体３０に封入し、封入完了後、浮遊体３０を切り離して浮かばせる（Ｓ２２）。
【００２４】
これにより、ユーザの音声（例えば、「がんば」）が印刷された浮遊体３０が空に浮かび、ユーザの音声が空中に表示されることになる。
【００２５】
なお、前記した実施形態において、浮遊体作成装置１０と操作端末２０とは別個の装置として説明したが、これらを一つの装置として構成してももちろんよい。
【００２６】
（プログラム）
また、上記実施形態に係る音声可視化システムが実行する処理をコンピュータが実行可能な言語で記述したプログラムを作成し、実行することもできる。この場合、コンピュータがプログラムを実行することにより、上記実施形態と同様の効果を得ることができる。さらに、かかるプログラムをコンピュータに読み取り可能な記録媒体に記録して、この記録媒体に記録されたプログラムをコンピュータに読み込ませて実行することにより上記実施形態と同様の処理を実現してもよい。以下に、音声可視化システムと同様の機能を実現するプログラム（音声可視化プログラム）を実行するコンピュータの一例を説明する。
【００２７】
図６は、音声可視化プログラムを実行するコンピュータを示す図である。図６に示すように、コンピュータ１０００は、例えば、メモリ１０１０と、ＣＰＵ（Central  Processing  Unit）１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有する。これらの各部は、バス１０８０によって接続される。
【００２８】
メモリ１０１０は、ＲＯＭ（Read  Only  Memory）１０１１およびＲＡＭ（Random  Access  Memory）１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１１００に接続される。ディスクドライブ１１００には、例えば、磁気ディスクや光ディスク等の着脱可能な記憶媒体が挿入される。シリアルポートインタフェース１０５０には、例えば、マウス１１１０およびキーボード１１２０が接続される。ビデオアダプタ１０６０には、例えば、ディスプレイ１１３０が接続される。
【００２９】
ここで、図６に示すように、ハードディスクドライブ１０９０は、例えば、ＯＳ１０９１、アプリケーションプログラム１０９２、プログラムモジュール１０９３およびプログラムデータ１０９４を記憶する。上記実施形態で説明した各テーブルは、例えばハードディスクドライブ１０９０やメモリ１０１０に記憶される。
【００３０】
また、音声可視化プログラムは、例えば、コンピュータ１０００によって実行される指令が記述されたプログラムモジュールとして、ハードディスクドライブ１０９０に記憶される。具体的には、上記実施形態で説明した音声可視化システムが実行する各処理が記述されたプログラムモジュールが、ハードディスクドライブ１０９０に記憶される。
【００３１】
また、音声可視化プログラムによる情報処理に用いられるデータは、プログラムデータとして、例えば、ハードディスクドライブ１０９０に記憶される。そして、ＣＰＵ１０２０が、ハードディスクドライブ１０９０に記憶されたプログラムモジュール１０９３やプログラムデータ１０９４を必要に応じてＲＡＭ１０１２に読み出して、上述した各手順を実行する。
【００３２】
なお、音声可視化プログラムに係るプログラムモジュール１０９３やプログラムデータ１０９４は、ハードディスクドライブ１０９０に記憶される場合に限られず、例えば、着脱可能な記憶媒体に記憶されて、ディスクドライブ１１００等を介してＣＰＵ１０２０によって読み出されてもよい。あるいは、音声可視化プログラムに係るプログラムモジュール１０９３やプログラムデータ１０９４は、ＬＡＮ（Local  Area  Network）やＷＡＮ（Wide  Area  Network）等のネットワークを介して接続された他のコンピュータに記憶され、ネットワークインタフェース１０７０を介してＣＰＵ１０２０によって読み出されてもよい。
【符号の説明】
【００３３】
１０    浮遊体作成装置
１１    気体封入部
１２    印刷部
１３    制御部
１４    通信部
２０    操作端末
２２    操作部
２３    音声入力部
２４    サービス処理部
３０    浮遊体
４０    印刷物
２４１  音声認識部
２４２  送信部
【図１】
0006285878.tif 000002
【図２】
0006285878.tif 000003
【図３】
0006285878.tif 000004
【図４】
0006285878.tif 000005
【図５】
0006285878.tif 000006
【図６】
0006285878.tif 000007